(57)【要約】      （修正有）【課題】手に持たなくても鍵穴が照らせ、かつ通常使用も可能なキーホルダー式ＬＥＤライトの提供。【解決手段】ＬＥＤ６は本体ケース１に固定され、本体ケース１には吊り具１０が設置される。ＬＥＤ６の発光面側には光拡散部１１が設けられ、本体ケース１に取り付けられる。光拡散部１１は光が当たると拡散されて全体が発光する様になっている。光拡散部１１には、ＬＥＤ６より放射状に照射される光の中心部に照射口１２が設けられ、照射口１２はＬＥＤ６の照射角より狭くなっている。そのため、ＬＥＤ６の照射光の一部は光拡散部１１に当たり、拡散されて、光拡散部１１全体が発光して広範囲を照らす。光拡散部１１に当たらずに照射口１２から照射された光は前方を強力に照らすため、通常のＬＥＤライトと同様の使用も可能である。【選択図】図１
2008192335.tif 000002
【特許請求の範囲】
【請求項１】
本体ケース内に光を発光するＬＥＤと、該ＬＥＤを発光、消灯させるスイッチと、該スイッチに接続した電源電池と、吊り具を設けたキーホルダー型ＬＥＤライトであって、前記ＬＥＤから発光された光を拡散する光拡散部を、前記本体ケースに設けたことを特徴とするキーホルダー型ＬＥＤライト。
【発明の詳細な説明】
【技術分野】
【０００１】
本発明は、暗所を照らす為のキーホルダー型ＬＥＤライトに関する。
【背景技術】
【０００２】
暗所を照らす為の携帯型ＬＥＤライトを携帯する際、単体で持ち歩く他、釣り下げ型の取り付け具を自動車やドア等の鍵に取り付ける事が一般的である。また、鍵への取り付け専用として、鍵の頭の部分を挟む事で、鍵に直接取り付ける方式も有る。
現在知られているキーホルダー型ＬＥＤライトの形態としては、電源である電池、動作させる為の電源スイッチを設けた本体ケースに、光源であるＬＥＤを、発光部を剥きだし又は透明カバーで覆った形で取り付ける構造の物である。
【特許文献１】登録実用新案第３１０５６３０号  特許公開２００２−２４５８０１号
【発明の開示】
【発明が解決しようとする課題】
【０００３】
キーホルダー型ＬＥＤライトの主要な使用方法の一つに、暗闇で鍵穴の位置を照らし出すという物があるが、通常キーホルダー型ＬＥＤライトで使用される砲弾型ＬＥＤは、ＬＥＤ内に設けられているレンズによって指向角が限定されており、鍵に取り付けた状態で釣り下げると、ＬＥＤより発光された光は主に下方を照らしてしまう事になり、鍵穴を照らす事が出来ない。
【課題を解決するための手段】
【０００４】
本体ケース内に光を発光するＬＥＤと、該ＬＥＤを発光、消灯させるスイッチと、該スイッチに接続した電源電池と、吊り具を設けたキーホルダー型ＬＥＤライトであって、前記ＬＥＤから発光された光を拡散する光拡散部を、前記本体ケースに設けたキーホルダー型ＬＥＤライトを提案するものである。
【発明の効果】
【０００５】
キーホルダー型の携帯用ＬＥＤライトを、鍵に取り付けて吊り下げた状態でも鍵穴を照らせ、通常の前方照射使用もできる様になった。
【発明を実施するための最良の形態】
【０００６】
本発明のキーホルダー型ＬＥＤライトは、ＬＥＤライトに光拡散部をただ取り付けたものでは、すべての光が拡散してしまう。これを避けるために、一箇所を明るく照らしたり、遠くを照らしたりする用途に使えるように光拡散部に一部の光を当てたり、また、光拡散部を可動式にしたりして、一箇所を明るく照らすまたは、遠くを照らす両方の用途に対応するものである。本発明では、電源である電池、発光・消灯を切り替えるスイッチ、光源であるＬＥＤ、鍵を取り付ける吊り具を設け、ＬＥＤの照射光を光拡散作用を持つ半透過材料に光の一部当てる、又は可動式にしたキーホルダー型ＬＥＤライトである。
【実施例１】
【０００７】
以下、添付図面を参照して本発明を適用した一例であるキーホルダー型ＬＥＤライトについて説明する。
図１は、本発明のキーホルダー型ＬＥＤライトの断面図である。
図２は、本発明のキーホルダー型ＬＥＤライトの使用例である。
参照符号１は、樹脂成形による本体ケースであり、取り外し可能な電池蓋２が付属する。
電池蓋２の内側には、電池３が納められる。電池３には、リチウム電池、アルカリボタン電池、酸化銀電池、空気電池、マンガン乾電池、アルカリ乾電池等の一次電池の他、ニッケルカドミウム電池、ニッケル水素電池、リチウム二次電池、リチウムイオン二次電池等の二次電池も使用可能であるが、それぞれ使用するＬＥＤの仕様に合わせた電圧で無ければならない。定格電圧がＬＥＤの定格と合致しない場合は、電流制限抵抗を設けるか、電圧コンバーター回路を設ける等の措置が必要となる。本実施例では、コイン型リチウム電池２枚を重ねる事で直列に接続した物を使用する。
【０００８】
電池３は、電池正電極４と、電池負電極５がそれぞれ電池３の正、負極に電気的に接続されている。電池負電極５は、バネ性と導電性を持つ金属製で、本体ケース１に固定されている。電池正電極４は導電性を持つ金属製で、電池３を電池負電極５とで挟み込む形で本体ケース１に固定されている。
【０００９】
ＬＥＤ６は、本体ケース１に固定され、ＬＥＤ６のカソード７は電池正電極４と電気的に接続される。ＬＥＤ６のアノード８は、スイッチ９により電池負電極５と電気的に接続、切断される。スイッチ９は、ＬＥＤ６の点灯、消灯を切り替える為のスイッチで、プッシュスイッチ、スライドスイッチ、ロータリースイッチ、トグルスイッチ、オルタネートスイッチ等が使われるが、手を離してもスイッチの接続が維持できるロック機構を備えている必要がある。
【００１０】
本体ケース１には、吊り具１０が設置される。吊り具１０は、キーホルダー型ＬＥＤライトと鍵を接続する部品で、ワイヤー、ボールチェーン、組紐、松葉紐、鎖、金属製リング、樹脂製リング、皮革紐、等が使用される。
【００１１】
ＬＥＤ６の発光面側には、光拡散部１１が設けられ、本体ケース１に取り付けられる。
光拡散部１１は、透明、若しくは半透明の樹脂に光拡散作用を持つ顔料、金属粉、ガラス粉、拡散剤が添加され、光が当たると拡散されて光拡散部１１全体が発光する様になっている。また、光拡散部１１は、別部品とせずに本体ケース１と一体化することも可能で、この場合はキーホルダー型ＬＥＤライト全体が光る事になる。
光拡散部１１は、ＬＥＤ６より放射状に照射される光の中心部に照射口１２が設けられている。一般にＬＥＤはレンズ効果により発光角度１３が定められており、照射口１２は、ＬＥＤ６の照射角より狭くなっている。
【００１２】
キーホルダー型ＬＥＤライトを鍵に取り付けて使用すると、実際に鍵を使用する場合には図２の様に鍵からぶら下がる状態になる。
ここでスイッチ９を閉じると、電池３よりＬＥＤ６に電流が流れ、ＬＥＤ６が点灯する。ＬＥＤ６の照射光は図１の様に広がっていくが、照射口１２が照射角より狭い為に、照射光の一部は光拡散部１１に当たる。光拡散部１１に当たった光は、光拡散作用によって拡散され、光拡散部１１全体が発光して広範囲を照らす。その為、使用者はキーホルダー型ＬＥＤライトを鍵から吊り下げた状態でも、鍵を使用する鍵穴を照らす事が出来る。また、光拡散部１１に当たらずに照射口１２から照射された光は、前方を強力に照らす為、通常のＬＥＤライトと同様の使用も可能である。
【実施例２】
【００１３】
図３は、本発明のキーホルダー型ＬＥＤライトの断面図である。
光拡散部以外の基本構造は実施例１のキーホルダー型ＬＥＤライトと同一であるが、光拡散部に照射口を設けず、ＬＥＤ６の近傍に回転軸１５を設け、光拡散部が可動する方式にしたものである。
【００１４】
可動式光拡散部１４は、回転軸１５により、本体ケースに固定される。回転軸１５は、ＬＥＤ６の近傍、光軸と平行に設置され、この回転軸１５を中心にして、稼働式光拡散部１４は回転する。回転軸１５は可動式光拡散部１４の側面に設けられ、回転する事によってＬＥＤ６を覆う状態と、覆わない状態を作り出す事が出来る。可動式光拡散部１４がＬＥＤ６を覆っている状態では、ＬＥＤから照射された光はすべて可動式光拡散部１４に当たり、拡散されて可動式光拡散部１４全体が発光し、周囲を照らす事が出来る。
可動式光拡散部１４を回転させてＬＥＤ６を覆わない状態にすると、ＬＥＤより照射された光は全てＬＥＤの持つレンズ効果により前方に向かい、通常のＬＥＤライトと同様の使用方法となる。
【図面の簡単な説明】
【００１５】
【図１】本発明の実施例の説明図
【図２】本発明の使用状態図
【図３】本発明の実施例の説明図
【符号の説明】
【００１６】
１  本体ケース
２  電池蓋
３  電池
４  電池正電極
５  電池負電極
６  ＬＥＤ
７  カソード
８  アノード
９  スイッチ
１０  吊り具
１１  ＬＥＤ
１２  照射口
１３  発光角度
１４  可動式光拡散部
１５  回転軸
【図１】
2008192335.tif 000003
【図２】
2008192335.tif 000004
【図３】
2008192335.tif 000005